(57)【要約】      （修正有）【課題】  構成が簡単で組立が容易であり、スペースを取らず保管や輸送が容易であって、安価で、しかも物品をしっかりと支持することができる物品支持体を得る。【解決手段】  矩形状に形成されたシート状基材１の左右対称位置に切り込み２ａ，２ｂと、その略中央を結ぶように中央切り込み３と、左右の切り込みとシート状基材の左右辺との間に、左右の山折線４ａ，４ｂを設け、左右の切り込みの上下端部とシート状基材の上下辺との間に、所定の角度をもって傾斜する上下の山折線５ａ，５ｂを設けてなり、シート状基材における左右の切り込みと中央切り込みと上下の山折線５ａ，５ｂで囲まれた上下の部分を物品支持パネル６，７とし、左右の切り込みと上下の山折線と左右の山折線で仕切られたシート状基材の左右の部分を脚パネル１０，１１とし、上下の山折線５ａ，５ｂを山折りするとともに、左右の山折線４ａ，４ｂを山折りした。【選択図】    図１
2007112513.tif 000002
【特許請求の範囲】
【請求項１】
矩形状に形成されたシート状基材の左右対称位置に、上下方向にそれぞれ切り込みを設けるとともに、該左右の切り込みの略中央を結ぶように中央切り込みを設け、前記左右の切り込みとシート状基材の左右辺との間に、シート状基材の上下辺と概ね平行な左右の山折線を、前記左右の切り込みの略中央を起点として設け、前記左右の切り込みの上下端部とシート状基材の上下辺との間に、それぞれ該シート状基材の上下辺の中央部分に向かって所定の角度をもって傾斜する上下の山折線を設けてなり、前記シート状基材における前記左右の切り込みと前記中央切り込みと前記上下の山折線で囲まれた上下の部分を物品支持パネルとし、前記左右の切り込みと前記上下の山折線と前記左右の山折線で仕切られたシート状基材の左右の部分を脚パネルとし、前記上下の山折線を山折りするとともに、前記左右の山折線を山折りしたことを特徴とする物品支持体。
【請求項２】
矩形状に形成されたシート状基材の左右対称位置に、上下方向にそれぞれ切り込みを設け、前記左右の切り込み間の略中央を結ぶように中央谷折線を設け、前記左右の切り込みとシート状基材の左右辺との間に、シート状基材の上下辺と概ね平行な左右の山折線を前記中央谷折線の延長線上に設け、前記左右の切り込みの上下端部とシート状基材の上下辺との間に、それぞれ該シート状基材の上下辺の中央部分に向かって所定の角度をもって傾斜する上下の山折線を設けてなり、前記シート状基材における前記左右の切り込みと前記中央谷折線と前記上下の山折線で囲まれた上下の部分を物品支持パネルとし、前記左右の切り込みと前記上下の山折線と左右の山折線で仕切られたシート状基材の左右の部分を脚パネルとし、前記中央谷折線を谷折りし、前記上下の山折線を山折りするとともに、前記左右の山折線を山折りしたことを特徴とする物品支持体。
【請求項３】
前記シート状基材に設けた左右の切り込みを、それぞれ中央方向に向かって凸となる山形とし、前記山形とした左右の切り込みで囲まれた部分を物品押さえパネルとしたことを特徴とする請求項１又は２に記載の物品支持体。
【請求項４】
前記シート状基材の左右辺は凹状に形成されていることを特徴とする請求項１，２又は３に記載の物品支持体。
【請求項５】
請求項１，２，３又は４に記載の１のシート状基材の上辺或いは下辺に、他のシート状基材の下辺或いは上辺を連接して設けてシート状基材群を構成し、前記隣接するシート状基材の連接部には、前記シート状基材の上下の山折線が前記シート状基材の上下辺と接する左右の接点間に山折線を設けるとともに、該接点の左右側に谷折線を設けてなり、前記左右の接点間の山折線を山折りするとともに、前記接点の左右側の谷折線を谷折りしたことを特徴とする物品支持体。
【発明の詳細な説明】
【技術分野】
【０００１】
本発明は、１枚のシート状基材に切り込みと折れ線を入れ、折れ線に沿って折り曲げて組み立てる物品支持体に関する。
【背景技術】
【０００２】
従来から、主に紙を素材とする基材を立体形状に組み立てた物品支持体が、食品その他の物品を支持する支持体として使用されている。これらの物品支持体としては、スペースを取らず保管や輸送が容易である、安価である、といった点から、１枚のシート状基材に折れ線や切り込みを入れ、折れ線に沿って折り曲げ組み立てる物品支持体が数多く提案され、使用されている（例えば、特許文献１参照。）。
【特許文献１】実用新案登録第３０９００２３号公報
【発明の開示】
【発明が解決しようとする課題】
【０００３】
しかしながら、従来この種の物品支持体はシート状基材の形状が複雑であったり、また折れ線が多く、組立が面倒であるといった問題があった。
【０００４】
本発明の目的とするところは、構成が簡単で組立が容易であり、スペースを取らず保管や輸送が容易であって、安価で、しかも物品をしっかりと支持することができる物品支持体を提供することにある。
【課題を解決するための手段】
【０００５】
上記課題を解決するために、請求項１に記載の物品支持体は、矩形状に形成されたシート状基材の左右対称位置に、上下方向にそれぞれ切り込みを設けるとともに、該左右の切り込みの略中央を結ぶように中央切り込みを設け、前記左右の切り込みとシート状基材の左右辺との間に、シート状基材の上下辺と概ね平行な左右の山折線を、前記左右の切り込みの略中央を起点として設け、前記左右の切り込みの上下端部とシート状基材の上下辺との間に、それぞれ該シート状基材の上下辺の中央部分に向かって所定の角度をもって傾斜する上下の山折線を設けてなり、前記シート状基材における前記左右の切り込みと前記中央切り込みと前記上下の山折線で囲まれた上下の部分を物品支持パネルとし、前記左右の切り込みと前記上下の山折線と前記左右の山折線で仕切られたシート状基材の左右の部分を脚パネルとし、前記上下の山折線を山折りするとともに、前記左右の山折線を山折りしたことを特徴とする。
【０００６】
かかる構成から、前記シート状基材における前記上下の山折線を山折りするとともに、前記左右の山折線を山折りすると、前記シート状基材における前記左右の切り込みと前記中央切り込みと前記上下の山折線で囲まれた上下の部分からなる上下の物品支持パネルが前記上下の山折線の傾斜に応じて内側に傾斜して対向し、対向する上下の物品支持パネル間が物品載置部となり、同時に、前記左右の切り込みと前記上下の山折線と左右の山折線で仕切られたシート状基材の左右の部分からなる脚パネルが前記上下の物品支持パネルに対して起立して脚部となる。
【０００７】
そして、前記対向する上下の物品支持パネル間で構成される物品載置部に物品を載置すると、該物品の重さにより対向する上下の物品支持パネルが開いて、物品載置部に載置した物品の下部を挟み込むと共に、該物品の重さに対する反作用として生じる力が、前記対向する上下の物品支持パネルを互いに接近させる方向、即ち閉じる方向に働き、物品載置部に載置した物品を前記対向する上下の物品支持パネルによりしっかりと保持する。同時に、前記物品の重さにより、上下の物品支持パネルを介して、脚パネルを仕切る前記左右の山折線の折り角度を大きくする方向にも力が働くので、これにより該脚パネルによって構成される脚部の重量に対する強度が大きくなり、上下の物品支持パネル間で構成される物品載置部に載置した物品を安定した状態で支持する。
【０００８】
請求項２に記載の物品支持体は、矩形状に形成されたシート状基材の左右対称位置に、上下方向にそれぞれ切り込みを設け、前記左右の切り込み間の略中央を結ぶように中央谷折線を設け、前記左右の切り込みとシート状基材の左右辺との間に、シート状基材の上下辺と概ね平行な左右の山折線を前記中央谷折線の延長線上に設け、前記左右の切り込みの上下端部とシート状基材の上下辺との間に、それぞれ該シート状基材の上下辺の中央部分に向かって所定の角度をもって傾斜する上下の山折線を設けてなり、前記シート状基材における前記左右の切り込みと前記中央谷折線と前記上下の山折線で囲まれた上下の部分を物品支持パネルとし、前記左右の切り込みと前記上下の山折線と左右の山折線で仕切られたシート状基材の左右の部分を脚パネルとし、前記中央谷折線を谷折りし、前記上下の山折線を山折りするとともに、前記左右の山折線を山折りしたことを特徴とする。
【０００９】
かかる構成から、前記シート状基材における前記中央谷折線を谷折りし、前記上下の山折線を山折りするとともに、前記左右の山折線を山折りすると、前記シート状基材における前記左右の切り込みと前記中央谷折線と前記上下の山折線で囲まれた上下の部分からなる上下の物品支持パネルが前記上下の山折線の傾斜に応じて内側に傾斜して対向し、対向する上下の物品支持パネル間が中央谷折線を底部とする物品載置部となり、同時に、前記左右の切り込みと前記上下の山折線と左右の山折線で仕切られたシート状基材の左右の部分からなる脚パネルが前記上下の物品支持パネルに対して起立して脚部となる。
【００１０】
そして、前記対向する上下の物品支持パネル間で構成される物品載置部の底部は閉じているので、物品載置部に載置した物品が物品載置部の底部から落ちるおそれはなく、また、前記対向する上下の物品支持パネル間で構成される物品載置部に物品を載置すると、該物品の重さが対向する上下の物品支持パネル間で構成される物品載置部の底部にかかることにより、対向する上下の物品支持パネルを互いに接近させる方向、即ち閉じる方向に力が働き、物品載置部に載置した物品を前記対向する上下の物品支持パネルによりしっかりと保持する。
【００１１】
請求項３に記載の物品支持体は、請求項１又は２に記載の、前記シート状基材に設けた左右の切り込みを、それぞれ中央方向に向かって凸となる山形とし、前記山形とした左右の切り込みで囲まれた部分を物品押さえパネルとしたことを特徴とする。
【００１２】
かかる構成から、前記シート状基材における前記上下の山折線を山折りするとともに、前記左右の山折線を山折りすることにより、前記左右の切り込みと前記上下の山折線と左右の山折線で仕切られたシート状基材の左右の部分からなる脚パネルが前記上下の物品支持パネルに対して起立したとき、前記山形とした左右の切り込みで囲まれた部分からなる物品押さえパネルが上下の物品支持パネル間で構成される物品載置部の両側に立ち上がり、上下の物品支持パネル間で構成される物品載置部に載置した物品を押さえる。
【００１３】
そして、物品載置部に載置した物品の重さが前記物品押さえパネルにかかると、対向する上下の物品支持パネルを互いに接近させる方向、即ち閉じる方向に力が働き、物品載置部に載置した物品を前記対向する上下の物品支持パネルによりしっかりと保持する。
【００１４】
請求項４に記載の物品支持体は、請求項１、２又は３に記載の、前記シート状基材の左右辺は凹状に形成されていることを特徴とする。
【００１５】
かかる構成から、前記シート状基材における前記上下の山折線を山折りするとともに、前記左右の山折線を山折りすることにより、前記左右の切り込みと前記上下の山折線と左右の山折線で仕切られたシート状基材の左右の部分からなる脚パネルが前記上下の物品支持パネルに対して起立して脚部となったとき、シート状基材の左右辺の上下端部が当接部となって設置面へ当接する。
【００１６】
そして、前記対向する上下の物品支持パネル間で構成される物品載置部に物品を載置すると、該物品の重さにより、シート状基材の凹状に形成された左右の全面が設置面に当接して、脚部が安定した状態で設置面に設置できる。
【００１７】
請求項５に記載の物品支持体は、請求項１，２，３又は４に記載の１のシート状基材の上辺或いは下辺に、他のシート状基材の下辺或いは上辺を連接して設けてシート状基材群を構成し、前記隣接するシート状基材の連接部には、前記シート状基材の上下の山折線が前記シート状基材の上下辺と接する左右の接点間に山折線を設けるとともに、該接点の左右側に谷折線を設けてなり、前記左右の接点間の山折線を山折りするとともに、前記接点の左右側の谷折線を谷折りしたことを特徴とする。
【００１８】
かかる構成から、隣接するシート状基材の連接部に設けられた山折線を山折し、谷折線を谷折りすることにより、請求項１，２，３又は４に記載のシート状基材で形成される物品支持体が複数連なった物品支持体が形成される。
【発明の効果】
【００１９】
請求項１に記載の物品支持体によれば、前記シート状基材における前記上下の山折線を山折りするとともに、前記左右の山折線を山折りすると、前記シート状基材における前記左右の切り込みと前記中央切り込みと前記上下の山折線で囲まれた上下の部分からなる上下の物品支持パネルが、前記上下の山折線の傾斜に応じて内側に傾斜して対向することになり、対向する上下の物品支持パネル間で物品載置部を構成することができ、同時に、前記左右の切り込みと前記上下の山折線と左右の山折線で仕切られたシート状基材の左右の部分からなる脚パネルが前記上下の物品支持パネルに対して起立して脚部を構成することができる。
【００２０】
そして、前記対向する上下の物品支持パネル間で構成される物品載置部に物品を載置したとき、該物品の重さにより対向する上下の物品支持パネルが開いて、物品載置部に載置した物品の下部を挟み込むと共に、該物品の重さに対する反作用として生じる力が、前記対向する上下の物品支持パネルを閉じる方向に働き、物品載置部に載置した物品を前記対向する上下の物品支持パネルによりしっかりと保持することができる。また同時に、前記物品の重さにより、上下の物品支持パネルを介して、脚パネルを仕切る前記左右の山折線の折り角度を大きくする方向にも力が働くので、これにより該脚パネルによって構成される脚部の重量に対する強度が大きくなり、上下の物品支持パネル間で構成される物品載置部に載置した物品を安定した状態で支持することができる。
【００２１】
更には、構成が簡単であり、また、前記上下の山折線を山折りするとともに、前記左右の山折線を山折りして畳むことにより物品支持パネルと脚パネルを扁平状態にして保管や輸送をすることができ、そして使用に当たっては、扁平状態の物品支持パネルと脚パネルを拡げることにより物品支持体を組み立てることができるので、組立が容易であると共に、スペースを取らず保管や輸送が容易であって、又前記のように構成が簡単なので安価であるといった効果がある。
【００２２】
請求項２に記載の物品支持体によれば、前記シート状基材における前記中央谷折線を谷折りし、前記上下の山折線を山折りするとともに、前記左右の山折線を山折りすると、前記シート状基材における前記左右の切り込みと前記中央谷折線と前記上下の山折線で囲まれた上下の部分からなる上下の物品支持パネルが、前記上下の山折線の傾斜に応じて内側に傾斜して対向することになり、対向する上下の物品支持パネル間が中央谷折線を底部とする物品載置部を構成し、同時に、前記左右の切り込みと前記上下の山折線と左右の山折線で仕切られたシート状基材の左右の部分からなる脚パネルが前記上下の物品支持パネルに対して起立して脚部を構成することができる。
【００２３】
そして、前記対向する上下の物品支持パネル間で構成される物品載置部の底部は閉じているので、物品載置部に載置した物品が物品載置部の底部から落ちるおそれはなく、また、前記対向する上下の物品支持パネル間で構成される物品載置部に物品を載置したとき、物品載置部の底部にかかる物品の重さにより、対向する上下の物品支持パネルを互いに接近させる方向、即ち閉じる方向に力が働き、これにより物品載置部に載置した物品を前記対向する上下の物品支持パネルによりしっかりと保持することができる。
【００２４】
更には、構成が簡単であり、また、前記中央谷折線を谷折りし、前記上下の山折線を山折りするとともに、前記左右の山折線を山折りして畳むことにより物品支持パネルと脚パネルを扁平状態にして保管や輸送をすることができ、そして使用に当たっては、扁平状態の物品支持パネルと脚パネルを拡げることにより物品支持体を組み立てることができるので、組立が容易であると共に、スペースを取らず保管や輸送が容易であって、又前記のように構成が簡単なので安価であるといった効果がある。
【００２５】
請求項３に記載の物品支持体によれば、請求項１又は２に記載の、前記シート状基材に設けた左右の切り込みを、それぞれ中央方向に向かって凸となる山形とし、前記山形とした左右の切り込みで囲まれた部分を物品押さえパネルとしたので、前記シート状基材における前記上下の山折線を山折りするとともに、前記左右の山折線を山折りすることにより、前記左右の切り込みと前記上下の山折線と左右の山折線で仕切られたシート状基材の左右の部分からなる脚パネルが前記上下の物品支持パネルに対して起立したとき、前記山形とした左右の切り込みで囲まれた部分からなる物品押さえパネルが上下の物品支持パネル間で構成される物品載置部の両側に立ち上がり、上下の物品支持パネル間で構成される物品載置部に載置した物品を押さえることができる。そして、物品載置部に載置した物品の重さが前記物品押さえパネルにかかると、対向する上下の物品支持パネルを互いに接近させる方向、即ち閉じる方向に力が働き、物品載置部に載置した物品を前記対向する上下の物品支持パネルによりしっかりと保持することができる。
【００２６】
請求項４に記載の物品支持体によれば、請求項１、２又は３に記載の、前記シート状基材の左右辺は凹状に形成されているので、前記シート状基材における前記上下の山折線を山折りするとともに、前記左右の山折線を山折りすることにより、前記左右の切り込みと前記上下の山折線と左右の山折線で仕切られたシート状基材の左右の部分からなる脚パネルが前記上下の物品支持パネルに対して起立して脚部となったとき、シート状基材の左右辺の上下端部が当接部となって設置面へ当接する。そして、前記対向する上下の物品支持パネル間で構成される物品載置部に物品を載置すると、該物品の重さにより、シート状基材の凹状に形成された左右の全面が設置面に当接して、脚部が安定した状態で設置面に設置することができる。
【００２７】
請求項５に記載の物品支持体によれば、請求項１，２，３又は４に記載の１のシート状基材の上辺或いは下辺に、他のシート状基材の下辺或いは上辺を連接して設けてシート状基材群を構成し、前記隣接するシート状基材の連接部には、前記シート状基材の上下の山折線が前記シート状基材の上下辺と接する左右の接点間に山折線を設けるとともに、該接点の左右側に谷折線を設けてなり、前記左右の接点間の山折線を山折りするとともに、前記接点の左右側の谷折線を谷折りしたので、請求項１，２，３又は４に記載のシート状基材で形成される物品支持体が複数連なった物品支持体を得ることができる。このように、物品支持体が複数連なった物品支持体は、例えば、種類の異なった物品を種分けして支持させる物品支持体として、頗る便利である。しかも、前記シート状基材群は１枚のシート状素材により形成することができるので、かかる物品支持体も製造が容易であり安価に得ることができる。
【発明を実施するための最良の形態】
【００２８】
以下、本発明に係る物品支持体を実施するための最良の形態の一例について説明する。図１乃至図５は本発明に係る物品支持体の実施の形態の第１例を示すもので、図１は本例の物品支持体の展開図、図２は本例の物品支持体の正面図、図３は図２に示す物品支持体の平面図、図４は本例の物品支持体の斜視図、図５は本例の物品支持体の折り畳んだ状態を示す説明図である。
【００２９】
本例の物品支持体は、矩形状に形成されたシート状基材１が使用される。シート状基材１としては、折り線付与可能であれば、紙シート、合成樹脂シート等特に限定されない。本例では、坪量が、１９０ｇ／ｍ２〜６００ｇ／ｍ２の範囲の紙シートが使用されている。
【００３０】
前記シート状基材１を使用した本例の物品支持体にあっては、図１に示す展開形状を有しており、横長の矩形状に形成されたシート状基材１の左右対称位置に、上下方向にそれぞれ切り込み２ａ，２ｂを設ける。
【００３１】
本例では、シート状基材１の上下方向略中央に、左右方向に向かって仮想基準線Ｌを設定し、シート状基材１の左右辺から同寸の位置に、前記切り込み２ａ，２ｂを前記仮想基準線Ｌと交差し、仮想基準線Ｌに対して上下方向が線対称となるように設けている。
【００３２】
また、前記シート状基材１に設けた左右の切り込み２ａ，２ｂの形状にあっては特に限定されないが、本例では、左右の切り込み２ａ，２ｂは、それぞれシート状基材１の中央方向に向かって凸となる山形としている。また、左右の切り込み２ａ，２ｂによって形成される前記山形の形状にあっても特に限定されるものではなく、本例では、円弧状となっている。
【００３３】
更に、前記シート状基材１には、前記左右の切り込み２ａ，２ｂの略中央を結ぶように中央切り込み３を設けている。この中央切り込み３にあっては、本例では直線となっているが、後述するようにシグザグ線や波状線であってもよく、特に限定されない。
【００３４】
また、前記左右の切り込み２ａ，２ｂとシート状基材１の左右辺との間にシート状基材１の上下辺と概ね平行な左右の山折線４ａ，４ｂを、該左右の切り込み２ａ，２ｂの略中央を起点として設けている。即ち、この左右の山折線４ａ，４ｂは、本例にあっては、前記仮想基準線Ｌ上に設けられている。
【００３５】
また、前記左右の切り込み２ａ，２ｂの上下端部とシート状基材１の上下辺との間に、それぞれシート状基材１の上下辺の中央部分に向かって所定の角度をもって傾斜する上下の山折線５ａ，５ｂを設けている。前記上下の山折線５ａ，５ｂの傾斜は、上下の山折線５ａ，５ｂと前記仮想基準線Ｌとの為す角度Ｑで設定され、この傾斜角度Ｑは、後述するように脚部の安定した起立を得る観点から、４５度〜７５度の範囲であることが好ましい。また、前記上下の山折線５ａ，５ｂにあっては、本例では直線となっているが、僅かにカーブした曲線であってもよい。
【００３６】
前記シート状基材１には、前記左右の切り込み２ａ，２ｂと中央切り込み３と左右の山折線４ａ，４ｂと上下の山折線５ａ，５ｂとで仕切られて、物品支持パネル６，７と物品押さえパネル８，９と脚パネル１０，１１が形成されている。即ち、左右の切り込み２ａ，２ｂと中央切り込み３と上下の山折線５ａ，５ｂで囲まれた部分を物品支持パネル６，７とし、山形とした左右の切り込み２ａ，２ｂで囲まれた部分を物品押さえパネル８，９とし、左右の切り込み２ａ，２ｂと上下の山折線５ａ，５ｂと左右の山折線４ａ，４ｂで仕切られたシート状基材１の左右の部分を脚パネル１０，１１としている。
【００３７】
更に、本例では、前記シート状基材１の左右辺は凹状に形成されている。この左右辺に形成された凹状部１２は、その凹状の頂点Ｔが前記仮想基準線Ｌ上になるように形成されている。
【００３８】
上記の展開構造を有する前記シート状基材１を、前記上下の山折線５ａ，５ｂを山折りするとともに、前記左右の山折線４ａ，４ｂを山折りすることにより、本例の物品支持体が組み立てられる。
【００３９】
更に詳細には、前記シート状基材１における前記上下の山折線５ａ，５ｂを山折りするとともに、前記左右の山折線４ａ，４ｂを山折りすると、前記シート状基材１における前記左右の切り込み２ａ，２ｂと前記中央切り込み３と前記上下の山折線５ａ，５ｂで囲まれた上下の部分からなる上下の物品支持パネル６，７が前記上下の山折線５ａ，５ｂの傾斜に応じて内側に傾斜して対向し（図４参照）、対向する上下の物品支持パネル６，７間が物品載置部１３となり、同時に、前記左右の切り込み２ａ，２ｂと前記上下の山折線５ａ，５ｂと左右の山折線４ａ，４ｂで仕切られたシート状基材１の左右の部分からなる脚パネル１０，１１が前記上下の物品支持パネル６，７に対して起立して脚部１４となる。
【００４０】
このとき、前記上下の山折線５ａ，５ｂと前記仮想基準線Ｌとが為す角度Ｑが４５度〜７５度の範囲であると、前記脚部１４は内側に向かって傾斜した状態、即ち、上下の物品支持パネル６，７間で構成される物品載置部１３に向かって傾斜した状態で起立し（図２、図３、図４参照）、脚部１４への力がこの内側方向に掛かることになり、これにより前記対向する上下の物品支持パネル６，７間で構成される物品載置部１３に載置された物品の重量を確実に受け止め安定した状態で支持することができるものとなる。
【００４１】
また、前記対向する上下の物品支持パネル６，７間で構成される物品載置部１３に物品を載置すると、該物品の重さにより対向する上下の物品支持パネル６，７が開いて、物品載置部１３に載置した物品の下部を挟み込むと共に、該物品の重さに対する反作用として生じる力が、前記対向する上下の物品支持パネル６，７を互いに接近させる方向、即ち閉じる方向に働き、物品載置部１３に載置した物品を前記対向する上下の物品支持パネル６，７によりしっかりと保持する。また同時に、前記物品の重さにより、上下の物品支持パネル６，７を介して、脚パネル１０，１１を仕切る前記左右の山折線４ａ，４ｂの折り角度を大きくする方向にも力が働くので、これにより該脚パネル１０，１１によって構成される脚部１４の重量に対する強度が大きくなり、上下の物品支持パネル６，７間で構成される物品載置部１３に載置した物品を安定した状態で支持する。
【００４２】
更に、本例では、前記シート状基材１に設けた左右の切り込み２ａ，２ｂを、それぞれ中央方向に向かって凸となる山形とし、前記山形とした左右の切り込みで囲まれた部分を物品押さえパネル８，９としたので、前記シート状基材１における前記上下の山折線５ａ，５ｂを山折りするとともに、前記左右の山折線４ａ，４ｂを山折りすることにより、前記左右の切り込み２ａ，２ｂと前記上下の山折線５ａ，５ｂと左右の山折線４ａ，４ｂで仕切られたシート状基材１の左右の部分からなる脚パネル１０，１１が前記上下の物品支持パネル６，７に対して起立したとき、前記山形とした左右の切り込み２ａ，２ｂで囲まれた部分からなる物品押さえパネル８，９が上下の物品支持パネル６，７間で構成される物品載置部１３の両側に立ち上がり、前記物品載置部１３に載置した物品を押さえ、安定した載置状態を得ることができる。
【００４３】
そして、物品載置部１３に載置した物品の重さが前記物品押さえパネル８，９にかかると、対向する上下の物品支持パネル６，７を互いに接近させる方向、即ち閉じる方向に力が働き、物品載置部１３に載置した物品を前記対向する上下の物品支持パネル６，７によりしっかりと保持することができるものとなる。
【００４４】
また、本例では、前記シート状基材１の左右辺を凹状に形成したので、前記シート状基材１における前記上下の山折線５ａ，５ｂを山折りするとともに、前記左右の山折線４ａ，４ｂを山折りすることにより、前記脚パネル１０，１１が前記上下の物品支持パネル６，７に対して起立して脚部１４となったとき、シート状基材１の左右辺の上下端部が当接部となって設置面へ当接する。そして、前記上下の物品支持パネル６，７間で構成される物品載置部１３に物品を載置すると、該物品の重さにより、前記上下の物品支持パネル６，７を介して、前記脚パネル１０，１１を仕切る前記左右の山折線４ａ，４ｂの折り角度を大きくする方向に力が働くので、シート状基材１の凹状に形成された左右の全面が設置面に当接して、脚部１４が安定した状態で設置面に設置できるものとなる。
【００４５】
更に本例では、前記上下の山折線５ａ，５ｂを山折りするとともに、前記左右の山折線４ａ，４ｂを山折りして畳むことにより物品支持パネル６，７と脚パネル１０，１１を扁平状態にしておくことができるので（図５参照）保管や輸送に便利である。
【００４６】
図６は本発明に係る物品支持体の実施の形態の第２例を示す展開図である。本例に係る物品支持体は、前記第１例とは基本構成を同じくするものであって、シート状基材１の左右に設けた切り込み２ａ，２ｂの形状を、シート状基材１の中央方向に向かって凸となる略台形状の山形としている点、前記左右の切り込み２ａ，２ｂの略中央を結ぶように設けられた中央切り込み３が鋸歯状にジグザグ線となっている点、及び左右の切り込み２ａ，２ｂと中央切り込み３と上下の山折線５ａ，５ｂで囲まれた上下の部分からなる上下の物品支持パネル６，７にエンボス１５が設けられている点が相違するだけであって、他の組立構造及びそれに基づく作用効果にあっては第１例と同じなので、本例独自の構成と作用効果を除き、第１例の説明を援用して、本例の説明を省略する。
【００４７】
前記エンボス１５は上下の物品支持パネル６，７のほぼ全面に設けているが、その配置については特に限定されない。またエンボス１５の形状にあっても特に限定されない。
【００４８】
本例では、前記左右の切り込み２ａ，２ｂの略中央を結ぶように設けられた中央切り込み３が鋸歯状にジグザグ線となっているので、上下の物品支持パネル６，７間で構成される物品載置部１３の底部では、中央切り込み３により歯状部が形成され、該歯状部が交差した状態となるので、物品載置部１３に載置した物品が上下の物品支持パネル６，７により、一層しっかりと保持できるようになる。また、左右の切り込み２ａ，２ｂと中央切り込み３と上下の山折線５ａ，５ｂで囲まれた上下の部分からなる上下の物品支持パネル６，７にエンボス１５が設けられているので、上下の物品支持パネル６，７の強度が向上し、上下の物品支持パネル６，７間で構成される物品載置部１３における物品の載置力が向上するとともに、エンボス１５により上下の物品支持パネル６，７と物品載置部１３に載置した物品との接触面積が小さくなるので、物品載置部１３は透気性・透湿性に優れたものとなり、更に、表面が剥離し易い物品の載置にも適するものとなる。
【００４９】
図７は本発明に係る物品支持体の実施の形態の第３例を示す展開図である。本例に係る物品支持体は、前記第１例とは基本構成を同じくするものであって、シート状基材１の左右に設けた切り込み２ａ，２ｂの形状を、シート状基材１の中央方向に向かって凸となる略三角形状の山形としている点、前記左右の切り込み２ａ，２ｂの略中央を結ぶように設けられた中央切り込み３が櫛歯状にジグザグ線となっている点、及び左右の切り込み２ａ，２ｂと中央切り込み３と上下の山折線５ａ，５ｂで囲まれた上下の部分からなる上下の物品支持パネル６，７にエンボス１５が設けられている点が相違するだけであって、他の組立構造及びそれに基づく作用効果にあっては第１例と同じなので、本例独自の構成と作用効果を除き、第１例の説明を援用して、本例の説明を省略する。
【００５０】
前記エンボス１５は、第２例と同様、上下の物品支持パネル６，７のほぼ全面に設けているが、その配置については特に限定されない。またエンボス１５の形状にあっても特に限定されない。
【００５１】
本例では、前記左右の切り込み２ａ，２ｂの略中央を結ぶように設けられた中央切り込み３が櫛歯状にジグザグ線となっているので、上下の物品支持パネル６，７間で構成される物品載置部１３の底部では、中央切り込み３により長歯状部が形成され、該長歯状部が深く交差した状態となり、物品載置部１３に載置した物品が、交差した該長歯状部に支えられて設置面に接することなく保持できるようになる。また、左右の切り込み２ａ，２ｂと中央切り込み３と上下の山折線５ａ，５ｂで囲まれた上下の部分からなる上下の物品支持パネル６，７にエンボス１５が設けられているので、第２例と同様に、上下の物品支持パネル６，７の強度が向上し、上下の物品支持パネル６，７間で構成される物品載置部１３における物品の載置力が向上するとともに、エンボス１５により上下の物品支持パネル６，７と物品載置部１３に載置した物品との接触面積が小さくなるので、該物品載置部１３に載置した物品が、交差した長歯状部に支えられて設置面に接することなく保持されることとあいまって、物品載置部１３は透気性・透湿性に優れたものとなり、更に、表面が剥離し易い物品の載置にも適するものとなる。
【００５２】
図８は本発明に係る物品支持体の実施の形態の第４例を示す展開図である。本例に係る物品支持体も、前記第１例とは基本構成を同じくするものであって、シート状基材１の左右に設けた切り込み２ａ，２ｂを、それぞれ中央切り込み３を挟んでシート状基材１の中央方向に向かって凸となる円弧状の山形２つで構成した形状としている点、前記左右の切り込み２ａ，２ｂの略中央を結ぶように設けられた中央切り込み３が互いに離反する方向に波打つ波状線となっている点、及び左右の切り込み２ａ，２ｂと中央切り込み３と上下の山折線５ａ，５ｂで囲まれた上下の部分からなる上下の物品支持パネル６，７にエンボス１５が設けられている点が相違するだけであって、他の組立構造及びそれに基づく作用効果にあっては第１例と同じなので、本例独自の作用効果を除き、第１例の説明を援用して、本例の説明を省略する。
【００５３】
前記エンボス１５は、第２例と同様、上下の物品支持パネル６，７のほぼ全面に設けているが、その配置については特に限定されない。またエンボス１５の形状にあっても特に限定されない。
【００５４】
本例では、第２例と同様に、左右の切り込み２ａ，２ｂと中央切り込み３と上下の山折線５ａ，５ｂで囲まれた部分からなる上下の物品支持パネル６，７にエンボス１５が設けられているので、上下の物品支持パネル６，７の強度が向上し、上下の物品支持パネル６，７間で構成される物品載置部１３における物品の載置力が向上するとともに、エンボス１５により上下の物品支持パネル６，７と物品載置部１３に載置した物品との接触面積が小さくなるので、物品載置部１３は透気性・透湿性に優れたものとなり、更に、表面が剥離し易い物品の載置にも適するものとなる。
【００５５】
なお、以上説明した本発明に係る物品支持体の実施の形態の第１例から第４例において、中央切り込み３は、切断部と非切断部とを交互に配置した破断線又はミシン目により構成してもよい。このように中央切り込み３を破断線又はミシン目により構成した場合は、本発明に係る物品支持体を組み立てて使用する際に、これらの破断線又はミシン目を切断すればよい。このとき、物品載置部１３に載置する物品の重さによっては、あえて切断操作を行うことなく、その物品を物品載置部１３に載置した際に、該物品の重さ自体により、これらの破断線又はミシン目を切断することも可能である。
【００５６】
図９、図１０は本発明に係る物品支持体の実施の形態の第５例を示すもので、図９は本例の物品支持体の展開図、図１０は本例の物品支持体の斜視図である。本例に係る物品支持体も、前記第１例とは基本構成を同じくするものであって、本例では、シート状基材１に設けられた前記第１例の中央切り込み３が谷折線となっている点が相違するだけであって、他の組立構造及びそれに基づく作用効果にあっては第１例と同じなので、本例独自の作用効果を除き、第１例の説明を援用して、本例の説明を省略する。
【００５７】
本例の物品支持体は、図９に示す展開形状を有しており、本例では、シート状基材１の上下方向略中央に、左右方向に向かって仮想基準線Ｌを設定し、シート状基材１の左右辺から同寸の位置に、前記切り込み２ａ，２ｂを前記仮想基準線Ｌと交差し、仮想基準線Ｌに対して上下方向が線対称となるように設けている。
【００５８】
更に、前記シート状基材１には、前記左右の切り込み２ａ，２ｂ間の略中央を結ぶように中央谷折線１６を設けており、また、前記左右の切り込み２ａ，２ｂとシート状基材１の左右辺との間には、シート状基材１の上下辺と概ね平行な左右の山折線４ａ，４ｂを前記中央谷折線１６の延長線上に設けている。即ち、この左右の山折線４ａ，４ｂは、前記第１例と同様に、仮想基準線Ｌ上に設けられている。そして、前記左右の切り込み２ａ，２ｂの上下端部とシート状基材１の上下辺との間には、シート状基材１の上下辺の中央部分に向かって所定の角度をもって傾斜する上下の山折線５ａ，５ｂを設けている。
【００５９】
前記シート状基材１にあっては、前記左右の切り込み２ａ，２ｂと前記中央谷折線１６と前記上下の山折線５ａ，５ｂで囲まれた部分を物品支持パネル６，７とし、前記左右の切り込み２ａ，２ｂと前記上下の山折線５ａ，５ｂと左右の山折線４ａ，４ｂで仕切られたシート状基材の左右の部分を脚パネル１０，１１とし、前記中央谷折線１６を谷折りし、前記上下の山折線５ａ，５ｂを山折りするとともに、前記左右の山折線４ａ，４ｂを山折りすることにより、本例の物品支持体が組み立てられる（図１０参照）。
【００６０】
このようにして組み立てられた物品支持体もまた、前記第１例と同様の作用効果を生じるが、本例では、前記対向する上下の物品支持パネル６，７間で構成される物品載置部１３の底部は閉じているので、物品載置部１３に載置した物品が物品載置部１３の底部から落ちるおそれはなく、また、前記物品載置部１３に物品を載置したとき、物品載置部１３の底部にかかる物品の重さにより、対向する上下の物品支持パネル６，７を互いに接近させる方向、即ち閉じる方向に力が働き、これにより物品載置部１３に載置した物品を前記対向する上下の物品支持パネル６，７によりしっかりと保持することができる。
【００６１】
図１１、図１２は本発明に係る物品支持体の実施の形態の第６例を示すもので、図１１は本例の物品支持体の展開図、図１２は本例の物品支持体の斜視図である。本例に係る物品支持体も、前記第１例とは基本構成を同じくするものであって、本例では、シート状基材１の物品支持パネル６，７の部分における上辺と下辺に、山折線１７，１８を介して補助脚パネル１９，２０を連設したものであって（図１１参照）、他の組立構造及びそれに基づく作用効果にあっては第１例と同じなので、本例独自の作用効果を除き、第１例の説明を援用して、本例の説明を省略する。
【００６２】
この補助脚パネル１９，２０は、前記シート状基材１を、前記上下の山折線５ａ，５ｂを山折りするとともに前記左右の山折線４ａ，４ｂを山折りして、本例の物品支持体を組み立てる際に、山折線１７，１８を山折りし、補助脚パネル１９，２０を脚部１４の内側に折り込んで補助脚部２１としている（図１２参照）。
【００６３】
このようにすることにより、補助脚パネル１９，２０で構成される補助脚部２１が物品載置部１３に載置した物品の重さを脚部１４とともに受けるので、これにより重量に対する強度が大きくなり、物品載置部１３に載置した物品を安定した状態で支持することができる。また、このとき、脚パネル１０，１１を仕切る前記左右の山折線４ａ，４ｂの折り角度を大きくする方向に働く力はある程度規制されるので、この結果、物品載置部１３に物品を載置した際に、前記対向する上下の物品支持パネル６，７に生じる、該物品の重さに対する反作用がより強くなり、前記対向する上下の物品支持パネル６，７を互いに接近させる方向、即ち閉じる方向に働く力もより大きくなって、物品載置部１３に載置した物品を前記対向する上下の物品支持パネル６，７に更にしっかりと保持することができるものとなる。
【００６４】
図１３、図１４は本発明に係る物品支持体の実施の形態の第７例を示すもので、図１３は本例の物品支持体の展開図、図１４は本例の物品支持体の斜視図である。本例に係る物品支持体は、前記第１例の展開構造を有する１つのシート状基材１の上辺或いは下辺に、他のシート状基材１の下辺或いは上辺を連接して設けてシート状基材群１Ａを構成している。前記連接されてシート状基材群１Ａを構成するシート状基材１の数にあっては特に限定されない。
【００６５】
前記隣接するシート状基材１，１の連接部２２には、前記シート状基材１，１の左右に設けた左右の切り込み２ａ，２ｂの上下端部と前記シート状基材１，１の上下辺間に設けた、上下の山折線５ａ，５ｂが前記シート状基材１，１の上下辺と接する左右の接点Ｓ１，Ｓ２間に山折線２３を設けるとともに、該接点Ｓ１，Ｓ２の左右側に谷折線２４を設けている。なお、前記連接部２２は、切断部と非切断部とを交互に配置した破断線又はミシン目により構成し、この破断線又はミシン目により構成した連接部２２に、前記山折線２３及び谷折線２４を設けてもよい。前記シート状基材１の個々の展開構造については、第１例の説明を援用して、本例の説明を省略する（図１３参照）。
【００６６】
上記の展開構造を有するシート状基材群１Ａを、前記左右の接点Ｓ１，Ｓ２間の山折線２３を山折りするとともに、前記接点Ｓ１，Ｓ２の左右側の谷折線２４を谷折りすることにより、本例の物品支持体が組み立てられる。前記シート状基材１の組立については、第１例の説明を援用して、本例の説明を省略する（図１４参照）。
【００６７】
このようにして組み立てられた本例の物品支持体は、シート状基材１で形成される物品支持体が複数連なった構成となり、例えば、種類の異なった物品を種分けして支持させる物品支持体として、頗る便利なものとなる。また、連接部２２を破断線又はミシン目により構成した場合には、これら複数連なった物品支持体を、適宜、必要な数だけ切り離せるので、一層便利なものとなる。さらには、前記複数のシート状基材群は１枚のシート状素材により形成することができるので、製造が容易であり安価に得られる。前記シート状基材１で形成される個々の物品支持体の作用効果にあっては、第１例の説明を援用して、本例の説明を省略する。
【００６８】
なお、本例では、連接するシート状基材１が、第１例のシート状基材１であるとしているが、これに限られるものではなく、第２例、第３例、第４例又は第５例のシート状基材１であってもよく、又、第１例、第２例、第３例、第４例又は第５例のシート状基材１が混在していてもよい。
【図面の簡単な説明】
【００６９】
【図１】本発明に係る物品支持体の実施の形態の第１例を示す展開図。
【図２】第１例の物品支持体を示す正面図。
【図３】図２に示す物品支持体の平面図。
【図４】第１例の物品支持体を示す斜視図。
【図５】第１例の物品支持体の折り畳んだ状態を示す説明図。
【図６】本発明に係る物品支持体の実施の形態の第２例を示す展開図。
【図７】本発明に係る物品支持体の実施の形態の第３例を示す展開図。
【図８】本発明に係る物品支持体の実施の形態の第４例を示す展開図。
【図９】本発明に係る物品支持体の実施の形態の第５例を示す展開図。
【図１０】第５例の物品支持体を示す斜視図。
【図１１】本発明に係る物品支持体の実施の形態の第６例を示す展開図。
【図１２】第６例の物品支持体を示す斜視図。
【図１３】本発明に係る物品支持体の実施の形態の第７例を示す展開図。
【図１４】第７例の物品支持体を示す斜視図。
【符号の説明】
【００７０】
１  シート状基材
１Ａ  シート状基材群
２ａ  左の切り込み
２ｂ  右の切り込み
３  中央切り込み
４ａ  左の山折線
４ｂ  右の山折線
５ａ  上の山折線
５ｂ  下の山折線
６，７  物品支持パネル
８，９  物品押さえパネル
１０，１１  脚パネル
１２  凹状部
１３  物品載置部
１４  脚部
１５  エンボス
１６  中央谷折線
１７，１８  山折線
１９，２０  補助脚パネル
２１  補助脚部
２２  連接部
２３  山折線
２４  谷折線
Ｌ  仮想基準線
Ｑ  傾斜角度
Ｔ  頂点
Ｘ  交点
Ｓ１，Ｓ２  接点
【図１】
2007112513.tif 000003
【図２】
2007112513.tif 000004
【図３】
2007112513.tif 000005
【図４】
2007112513.tif 000006
【図５】
2007112513.tif 000007
【図６】
2007112513.tif 000008
【図７】
2007112513.tif 000009
【図８】
2007112513.tif 000010
【図９】
2007112513.tif 000011
【図１０】
2007112513.tif 000012
【図１１】
2007112513.tif 000013
【図１２】
2007112513.tif 000014
【図１３】
2007112513.tif 000015
【図１４】
2007112513.tif 000016